(57)【要約】【課題】投影装置における調整の状況を視認させる。【解決手段】他の投影装置と接続されており、前記他の投影装置と同一の画像を、前記他の投影装置と同一の投影領域に重ねて投影させる投影装置であって、前記画像の投影の調整に用いる調整用画像の投影の指示を受け付ける操作受付部と、前記指示を受けて、前記投影領域に、前記投影装置のみにより前記調整用画像が投影される領域が含まれるように、前記他の投影装置による前記調整用画像の投影領域を変更させる動作指示部と、を有する。【選択図】図７
2018010248.tif 000002
【特許請求の範囲】
【請求項１】
他の投影装置と接続されており、前記他の投影装置と同一の画像を、前記他の投影装置と同一の投影領域に重ねて投影させる投影装置であって、
前記画像の投影の調整に用いる調整用画像の投影の指示を受け付ける操作受付部と、
前記指示を受けて、前記投影領域に、前記投影装置のみにより前記調整用画像が投影される領域が含まれるように、前記他の投影装置による前記調整用画像の投影領域を変更させる動作指示部と、を有する投影装置。
【請求項２】
前記指示を受けて、前記投影領域に、前記他の投影装置のみにより前記調整用画像が投影される領域が含まれるように、前記投影装置による前記調整用画像の投影領域を変更する領域変更部を有する、請求項１記載の投影装置。
【請求項３】
前記他の投影装置が、複数の投影装置を含むとき、
前記動作指示部は、
前記投影領域に、前記複数の投影装置それぞれのみにより前記調整用画像が投影される領域が含まれるように、前記複数の投影装置のそれぞれに対して前記調整用画像の投影領域を変更させる、請求項２記載の投影装置。
【請求項４】
前記操作受付部が受け付けた操作に応じて前記画像の投影の調整を行う調整指示部を有し、
前記領域変更部は、
前記調整指示部による調整が終了した後に、前記投影領域における、前記投影装置のみにより前記調整用画像が投影される領域の位置が変更されるように、前記投影装置による前記調整用画像の投影領域の位置を変更させる、請求項２又は３に記載の投影装置。
【請求項５】
前記動作指示部は、
前記投影領域における、前記投影装置のみにより前記調整用画像が投影される領域の位置が変更されるように、前記投影装置による前記調整用画像の投影領域の位置を変更させる、請求項１乃至４の何れか一項に記載の投影装置。
【請求項６】
前記投影装置及び前記他の投影装置との台数の合計値と、前記投影装置の投影領域と、前記他の投影装置のそれぞれの投影領域と、を対応付けたテーブルと、
前記他の投影装置の台数を取得する接続状態判定部と、を有し、
前記領域変更部は、
前記テーブルを参照し、前記投影装置の前記投影領域を、前記合計値と対応する投影領域に変更し、
前記動作指示部は、
前記テーブルを参照し、前記他の投影装置の前記投影領域を、前記合計値と対応する投影領域に変更させる、請求項２乃至４の何れか一項に記載の投影装置。
【請求項７】
互いに接続された複数の投影装置を有し、前記複数の投影装置によって、同一の画像を、同一の投影領域に重ねて投影させる投影はステムであって、
前記投影装置は、
前記画像の投影の調整に用いる調整用画像の投影の指示を受け付ける操作受付部と、
前記指示を受けて、前記投影領域に、前記投影装置のみにより前記調整用画像が投影される領域が含まれるように、他の投影装置による前記調整用画像の投影領域を変更させる動作指示部と、を有する投影システム。
【請求項８】
互いに接続された複数の投影装置を有し、前記複数の投影装置によって、同一の画像を、同一の投影領域に重ねて投影させる投影はステムによる調整方法であって、
前記投影装置が、
前記画像の投影の調整に用いる調整用画像の投影の指示を受け付ける手順と、
前記指示を受けて、前記投影領域に、前記投影装置のみにより前記調整用画像が投影される領域が含まれるように、他の投影装置による前記調整用画像の投影領域を変更させる手順と、を有する調整方法。
【請求項９】
他の投影装置と接続されており、前記他の投影装置と同一の画像を、前記他の投影装置と同一の投影領域に重ねて投影させる投影装置において実行される調整プログラムであって、前記投影装置に、
前記画像の投影の調整に用いる調整用画像の投影の指示を受け付ける処理と、
前記指示を受けて、前記投影領域に、前記投影装置のみにより前記調整用画像が投影される領域が含まれるように、前記他の投影装置による前記調整用画像の投影領域を変更させる処理と、を実行させる調整プログラム。
【発明の詳細な説明】
【技術分野】
【０００１】
本発明は、投影装置、投影システム、調整方法及び調整プログラムに関する。
【背景技術】
【０００２】
従来から、プロジェクタ等の投影装置により投影される画像の明るさ等を向上する技術として、複数台のプロジェクタから投影された画像を重ねて１枚の画像とするスタック投影が既に知られている。
【０００３】
例えば、従来では、スタック画像を表示させる際に、第１の画像形成部によって形成される第１の画像、及び第２の画像形成部によって形成される第２の画像を重畳した重畳画像の色補正を行う技術が開示されている。
【発明の概要】
【発明が解決しようとする課題】
【０００４】
上述した従来の技術では、複数の投影装置から投影された画像が重畳されている。したがって、例えばユーザが個々の投影装置から投影される画像の明るさや色味等の調整を行おうとした場合、ユーザが操作している投影装置単体から投影される画像の調整結果を視認できなかった。
【０００５】
開示の技術は、上記事情に鑑みてなされたものであり、投影装置における調整の状況を視認させることを目的としている。
【課題を解決するための手段】
【０００６】
開示の技術は、他の投影装置と接続されており、前記他の投影装置と同一の画像を、前記他の投影装置と同一の投影領域に重ねて投影させる投影装置であって、前記画像の投影の調整に用いる調整用画像の投影の指示を受け付ける操作受付部と、前記指示を受けて、前記投影領域に、前記投影装置のみにより前記調整用画像が投影される領域が含まれるように、前記他の投影装置による前記調整用画像の投影領域を変更させる動作指示部と、を有する。
【発明の効果】
【０００７】
投影装置における調整の状況を視認させることができる。
【図面の簡単な説明】
【０００８】
【図１】第一の実施形態の投影システムの一例を示す図である。
【図２】第一の実施形態の投影装置のハードウェア構成の一例を示す図である。
【図３】第一の実施形態の投影装置の機能を説明する図である。
【図４】第一の実施形態の制御部の機能を説明する図である。
【図５】第一の実施形態の投影システムの動作を説明するシーケンス図である。
【図６】第一の実施形態の制御部の動作を説明するフローチャートである。
【図７】第一の実施形態における投影領域の変更を説明する図である。
【図８】第二の実施形態の制御部の機能を説明する図である。
【図９】第二の実施形態のパターンテーブルを説明する図である。
【図１０】第二の実施形態の投影システムの動作を説明するシーケンス図である。
【図１１】第二の実施形態の制御部の動作を説明するフローチャートである。
【図１２】第二の実施形態における画像の投影例を示す図である。
【図１３】第三の実施形態の投影装置の機能を説明する図である。
【図１４】第三の実施形態の投影システムの動作を説明するシーケンス図である。
【図１５】第三の実施形態の制御部の動作を説明するフローチャートである。
【図１６】第三の実施形態における画像の投影例を示す図である。
【発明を実施するための形態】
【０００９】
（第一の実施形態）
以下に図面を参照して第一の実施形態について説明する。図１は、第一の実施形態の投影システムの一例を示す図である。
【００１０】
図１に示す投影システム１０は、投影装置１００−１、１００−２、１００−３を有し、投影装置１００−１、１００−２、１００−３のそれぞれから、スクリーン（投影面）の投影領域２０に画像を重ねて投影させる。尚、以下の説明では、投影装置１００−１、１００−２、１００−３のそれぞれを区別しない場合には、投影装置１００と呼ぶ。
【００１１】
本実施形態の投影システム１０では、複数台の投影装置１００のそれぞれから、同一の投影領域２０に画像を投影することで、投影領域２０における画像の明るさやコントラストを向上させる。
【００１２】
また、本実施形態の投影システム１０では、ある投影装置１００に対して、投影される画像の明るさやコントラスト等の調整が行われる際に、投影領域２０において、調整が行われる投影装置１００のみにより、画像が投影される領域を出現させる。
【００１３】
例えば、投影装置１００−１について、画像の明るさやコントラスト等を調整する場合について説明する。この場合、投影システム１０は、投影領域２０において、投影装置１００−２、１００−３の画像の投影領域を変更し、投影装置１００−１のみにより画像が投影される領域を出現させる。
【００１４】
本実施形態では、このように、調整の対象となる投影装置１００単体により画像が投影されている領域を出現させることで、投影装置１００単体における調整の状況を視認させることができる。
【００１５】
尚、本実施形態における調整とは、投影装置１００による画像の投影に関する調整であり、例えば画像の明るさやコントラスト以外にも、輝度、赤レベル、青レベル、緑レベル等の値を変更する操作を示す。
【００１６】
また、本実施形態の投影装置１００は、画像の投影に関する調整を行う際には、予め決められた調整用画像を投影する。調整用画像は、例えば、投影領域の大きさの変更が画像に影響しない形状のパターン画像等である。調整用画像の画像データは、予め投影装置１００の内部に保持されていても良いし、投影装置１００と接続された外部装置から提供されても良い。
【００１７】
また、図１の例では、投影システム１０は、３台の投影装置１００を有するものとしたが、これに限定されない。投影システム１０は、複数の投影装置１００を有していれば良く、その数は任意であって良い。
【００１８】
図２は、第一の実施形態の投影装置のハードウェア構成の一例を示す図である。本実施形態の投影システム１０において、投影装置１００−１、１００−２、１００−３は、同様のハードウェア構成を有するため、投影装置１００として、そのハードウェア構成を説明する。
【００１９】
本実施形態の投影装置１００は、システム制御装置１０１、音声処理装置１０２、スピーカ１０３、映像処理装置１０４、光学ユニット制御装置１０５、光学ユニット１０６、光源制御装置１０７、光源１０８を有する。更に、本実施形態の投影装置１００は、電源制御装置１０９、電源１１０、操作装置１１１、リモコン受信装置１１２、記憶装置１１３、ファン制御装置１１４、ファン１１５、通信装置１１６、映像/音声端子１１７、通信端子１１８を有する。
【００２０】
映像/音声端子１１７は、外部の映像出力機器やコンピュータ等の電子機器との間で映像や音声等の各種情報を入出力するためのインターフェースである。投影装置１００は、映像/音声端子１１７を介して、映像出力機器等の電子機器と接続されることで、画像データや音声データを含む各種情報の入出力を行う。映像/音声端子１１７には、ＶＧＡ端子やＨＤＭＩ（登録商標）（High-Definition Multimedia Interface）端子、ＵＳＢ（Universal Serial Bus）端子、ＲＣＡ端子等がある。
【００２１】
システム制御装置１０１は、投影装置１００を構成する他の各装置を制御する。システム制御装置１０１は、例えば、ＣＰＵ（Central Processing Unit）１０１１と、ＲＯＭ（Read Only Memory）１０１２と、ＲＡＭ（Random Access Memory）１０１３とにより実現される。
【００２２】
ＣＰＵ１０１１は、ＲＯＭ１０１２等に記憶された制御プログラム等の各種プログラムに従って、各種制御や機能を実現する演算装置である。
【００２３】
ＲＯＭ１０１２は、投影装置１００で実行可能な制御プログラム等の各種プログラムや、これらの各種プログラムを実行する際に使用される各種データ、及びＣＰＵ１０１１の演算処理結果などを記憶する不揮発性の半導体メモリ（記憶装置）である。ＲＡＭ１０１３は、ＣＰＵ１０１１によって実行される制御プログラム等の各種プログラムなどを展開するためのプログラム格納領域や、各種入出力データや各種プログラムの実行結果などを格納するデータ格納領域などを備える。ＲＡＭ１０１３は、例えば揮発性の半導体メモリ（記憶装置）である。
【００２４】
音声処理装置１０２は、映像/音声端子１１７を介して入力された音声データに対し、音量調整や音質調整等の処理を行う。音声処理装置１０２は、音量調整や音質調整等の処理を行った後、この処理後の音声データをスピーカ１０３や映像/音声端子１１７（出力）に出力する。
【００２５】
スピーカ１０３は、音声処理装置１０２から入力された音声データに従って、音声を出力する音声出力装置である。なお、スピーカ１０３は、投影装置１００に内蔵されている内蔵型のスピーカでもよいし、例えば音声出力ポートを介してケーブルやネットワークなどに接続される外部機器のスピーカでもよい。
【００２６】
映像処理装置１０４は、映像/音声端子１１７を介して入力された画像データに対して、システム制御装置１０１が適切に扱えるよう各種処理を行う。映像処理装置１０４は、入力された画像データに対して各種処理を行った後、この処理後の画像データをＲＡＭ１０１３やバッファメモリ等に出力する。
【００２７】
光学ユニット制御装置１０５は、光学ユニット１０６を制御して、映像処理装置１０４からＲＡＭ１０１３やバッファメモリ等に出力された画像データに基づいて画像の投写を行う。光学ユニット１０６は、レンズ、ミラーなどの光学部品から構成されるユニット（部品）である。光源制御装置１０７、システム制御装置１０１からの指示に基づき、光源１０８の点灯や消灯などを制御する。光源１０８は、例えば水銀ランプなどである。
【００２８】
電源制御装置１０９は電源１１０を制御する。電源１１０は投影装置１００に電力を供給する。
【００２９】
操作装置１１１は、ユーザからの各種操作入力を受け付け、システム制御装置１０１を介して、操作入力に対応する機能を実現させる。操作装置１１１は、例えばカーソルキーや文字／数字キー、各種機能キー等からの入力を受け付けることが可能である。
【００３０】
リモコン受信装置１１２は例えば赤外線リモコン（指向性のある一方向通信）など遠隔からの各種操作入力を受け付け、システム制御装置１０１を介して、操作入力に対応する機能を実現させる。リモコン受信装置１１２は、例えば赤外線方式のリモコンからカーソルキーや文字／数字キー、各種機能の入力を受けつけることが可能である。
【００３１】
記憶装置１１３は、例えばＥＥＰＲＯＭ（Electrically Erasable Programmable ROM）等の記憶手段としての不揮発性の半導体メモリ（記憶装置）である。記憶装置１１３は、投影装置１００が実行可能な制御プログラム等の各種プログラムやこれらの各種プログラムを実行する際に使用される各種データ等を記憶する。各種データとは、例えば投影装置１００に設定された設定値などである。
【００３２】
なお、記憶装置１１３は、例えばＨＤ（Hard Disk）などの記憶装置であってもよい。また、記憶装置１１３は、例えば投影装置１００とネットワークを介して接続される記憶装置であってもよい。
【００３３】
ファン制御装置１１４は、冷却手段としてのファン１１５を制御する。ファン１１５は、本体もしくは部品を冷却したり、排熱したりするためのものである。
【００３４】
通信装置１１６は、通信端子１１８を介してプロジェクタ外部の機器や端末と通信を行うための制御を行う。通信端子１１８は外部のコンピュータやプロジェクタ等の電子機器との間で制御信号等の各種情報を入出力するためのインターフェースである。通信端子１１８には、有線ＬＡＮ（Local Area Network）端子や無線ＬＡＮ（Local Area Network）端子等がある。
【００３５】
次に、図３及び図４を参照して本実施形態の投影装置１００の機能について説明する。図３は、第一の実施形態の投影装置の機能を説明する図である。
【００３６】
図３に示す各部は、システム制御装置１０１のＣＰＵ１０１１が、ＲＯＭ１０１２等に記憶された制御プログラムを実行することで実現される。
【００３７】
尚、本実施形態の投影システム１０において、投影装置１００−１、１００−２、１００−３は、同様の機能構成を有するため、投影装置１００として、その機能構成を説明する。
【００３８】
本実施形態の投影装置１００は、映像処理部１２１、制御部１２２、投影制御部１２３、操作受付部１２４、通信部１２５を有する。
【００３９】
本実施形態の映像処理部１２１は、外部から入力された映像信号の処理を行う。
【００４０】
制御部１２２は、投影装置１００の動作を制御する。具体的には、制御部１２２は、映像処理部１２１に入力された映像信号から、投影装置１００が他の投影装置１００と接続されているか否かを判定し、投影制御部１２３による画像の投影領域を示す情報を取得する。
【００４１】
また、制御部１２２は、操作受付部１２４がユーザからの操作内容に従って投影装置１００を動作させる。また、制御部１２２は、通信部を介して投影装置１００と接続されている他の投影装置１００に対して動作指示を与える。また、制御部１２２は、通信部１２５を介して他の投影装置１００と通信を行い、他の投影装置１００に対する要求/応答を行う。制御部１２２の詳細は後述する。
【００４２】
投影制御部１２３は、映像処理部１２１に入力された映像信号の全体又は一部を、投影領域を示す情報に従って投影する。
【００４３】
操作受付部１２４は、外部からの操作を受け付け、制御部１２２に操作の内容を通知する。通信部１２５は、他の投影装置１００との通信を行い、他の投影装置１００へ動作指示を送信したり、他の投影装置１００から自機に対する動作指示を受信したりする。
【００４４】
次に、図４を参照して本実施形態の制御部１２２の機能について、さらに説明する。図４は、第一の実施形態の制御部の機能を説明する図である。
【００４５】
本実施形態の制御部１２２は、調整処理部２００を有する。調整処理部２００は、制御プログラムの一部である調整プログラムをＣＰＵ１０１１が実行することで実現される。
【００４６】
本実施形態の調整処理部２００は、接続状態判定部２１０、領域情報取得部２２０、領域情報比較部２３０、動作指示部２４０、調整指示部２５０を有する。
【００４７】
接続状態判定部２１０は、自機と他の投影装置１００との接続の状態を判定する。具体には、接続状態判定部２１０は、自機と接続されている他の投影装置１００を認識し、他の投影装置１００の状態を判定する。
【００４８】
領域情報取得部２２０は、自機に設定された投影領域を示す領域情報と、自機と接続された他の投影装置１００に設定された投影領域を示す領域情報とを取得する。領域情報は、例えば、投影領域の高さ方向の画素数と、幅方向の画素数とを含む座標等により示されても良いし、投影領域となる矩形の左上の頂点の座標と、右下の頂点の座標と、により示されても良い。
【００４９】
領域情報比較部２３０は、領域情報取得部２２０が取得した２つの領域情報を比較し、両者が示す投影領域が一致しているか否かを判定する。
【００５０】
動作指示部２４０は、他の投影装置１００に対して、動作の指示を行う。動作の指示とは、例えば他の投影装置１００の状態を通知させる指示や、投影領域を変更させるための指示等である。
【００５１】
調整指示部２５０は、操作受付部１２４が受け付けた操作に応じて、画像の投影に関する調整を行う。具体的には、調整指示部２５０は、操作に応じて、各種の設定の値を変更する。
【００５２】
次に、図５を参照して、本実施形態の投影システム１０の動作について説明する。図５は、第一の実施形態の投影システムの動作を説明するシーケンス図である。
【００５３】
図５の例では、投影装置１００−１の画像の投影に関する調整が行われる場合を示している。
【００５４】
投影装置１００−１は、ユーザからの調整用画像の投影指示を受けて、映像処理部１２１−１により、調整用画像を投影させる（ステップＳ５０１）。続いて、投影装置１００−１において、操作受付部１２４−１は、ユーザからの設定の変更指示を受けて（ステップＳ５０２）、制御部１２２−１へ設定の変更指示を通知する（ステップＳ５０３）。
【００５５】
制御部１２２−１は、自機と他の投影装置１００−２、１００−３とが接続されているか否かを判定する処理を開始し（ステップＳ５０４）、通信部１２５−１に対して、投影装置１００−２、１００−３の接続の確認を指示する（ステップＳ５０５）。
【００５６】
通信部１２５−１は、この指示を受けて、投影装置１００−２に対して、応答を要求する信号を送信する（ステップＳ５０６）。投影装置１００−２において、通信部１２５−２は、この信号を受信すると、制御部１２２−２へ接続確認の信号を受けたことを通知する（ステップＳ５０７）。
【００５７】
同様に、通信部１２５−１は、この指示を受けて、投影装置１００−３に対して、応答を要求する信号を送信する（ステップＳ５０８）。投影装置１００−３において、通信部１２５−３は、この信号を受信すると、制御部１２２−３へ接続確認の信号を受けたことを通知する（ステップＳ５０９）。
【００５８】
投影装置１００−１は、投影装置１００−２、１００−３のそれぞれから、接続されていることを示す応答を受け付けると、制御部１２２−１により、投影装置１００−２、１００−３の投影領域が変更されているか否かを判定する（ステップＳ５１０）。
【００５９】
投影装置１００−２、１００−３の投影領域が変更されておらず、自機の投影領域と一致している場合、制御部１２２−１は、通信部１２５−１に対し、投影装置１００−２、１００−３のそれぞれへ投影領域の変更指示を通知する（ステップＳ５１１）。
【００６０】
通信部１２５−１は、この通知を受けて、投影装置１００−２に対し、投影領域の変更指示を送信する（ステップＳ５１２）。
【００６１】
投影装置１００−２において、通信部１２５−２は、変更指示を受けると、制御部１２２−２へ投影領域の変更指示を通知する（ステップＳ５１３）。制御部１２２−２は、変更指示の通知を受けて、投影制御部１２３−２に対し、投影領域の変更を指示する（ステップＳ５１４）。
【００６２】
また、通信部１２５−１は、この通知を受けて、投影装置１００−３に対し、投影領域の変更指示を送信する（ステップＳ５１５）。
【００６３】
投影装置１００−３において、通信部１２５−３は、変更指示を受けると、制御部１２２−３へ投影領域の変更指示を通知する（ステップＳ５１６）。制御部１２２−３は、変更指示の通知を受けて、投影制御部１２３−３に対し、投影領域の変更を指示する（ステップＳ５１７）。
【００６４】
尚、本実施形態では、制御部１２２−１が投影領域の変更指示を行う際に、投影装置１００−２、１００−３のそれぞれにおける変更後の投影領域のサイズを変更指示と共に通知しても良い。制御部１２２−１の処理の詳細は後述する。
【００６５】
続いて、投影装置１００−１は、制御部１２２−１により、画像の投影に関する設定の変更の操作を受け付け（ステップＳ５１８）、投影制御部１２３−１により、設定変更後の調整用画像を投影させる（ステップＳ５１９）。
【００６６】
次に、図６を参照して本実施形態の制御部１２２−１の処理について説明する。図６は、第一の実施形態の制御部の動作を説明するフローチャートである。尚、図６では、設定の変更が行われる投影装置１００−１の制御部１２２−１の動作を示している。
【００６７】
本実施形態の制御部１２２は、操作受付部１２４により、変更の指示を受け付けると（ステップＳ６０１）、調整処理部２００の接続状態判定部２１０により、自機が投影装置１００−２、１００−３とスタック接続されているか否かを判定する（ステップＳ６０２）。
【００６８】
尚、本実施形態のスタック接続とは、複数の投影装置により、同一の投影領域に同一の画像を表示させるために行われる投影装置同士の接続を示す。
【００６９】
ステップＳ６０２において、スタック接続されていない場合、後述するステップＳ６０９へ進む。
【００７０】
ステップＳ６０２において、スタック接続されていた場合、接続状態判定部２１０は、接続されている他の投影装置全ての電源がオンであるか否かを判定する（ステップＳ６０３）。言い換えれば、接続状態判定部２１０は、接続されている全ての投影装置１００から調整用画像が投影されているか否かを判定する。
【００７１】
ステップＳ６０３において、全ての投影装置１００において調整用画像が投影
されている場合、後述するステップＳ６０５へ進む。
【００７２】
ステップＳ６０３において、調整用画像が投影されていない投影装置１００が存在した場合、制御部１２２−１は、動作指示部２４０により、該当する投影装置１００に対して調整用画像の投影を指示し（ステップＳ６０４）、後述するステップＳ６０５へ続く。
【００７３】
調整処理部２００は、領域情報取得部２２０により、自機の投影領域を示す領域情報と、接続された他の投影装置１００の投影領域を示す領域情報と取得する（ステップＳ６０５）。
【００７４】
続いて、調整処理部２００は、領域情報比較部２３０により、ステップＳ６０５において取得した各領域情報が一致するか否かを判定する（ステップＳ６０６）。言い換えれば、自機の投影領域と、接続された他の投影装置１００の投影領域とが一致するか否かを判定する。
【００７５】
ステップＳ６０６において、投影領域が一致していない場合、後述するステップＳ６０８へ進む。
【００７６】
ステップＳ６０６において、投影領域が一致している場合、調整処理部２００は、動作指示部２４０により、自機と接続された他の投影装置１００に対し、投影領域の変更指示を行う（ステップＳ６０７）。
【００７７】
このとき、動作指示部２４０は、自機の投影領域に、自機から投影された調整用画像のみが投影された領域が含まれるように、他の投影装置１００の投影領域を変更させる。本実施形態では、例えば、動作指示部２４０において、他の投影装置１００の変更後の投影領域が予め決められており、他の投影装置１００に対し、決められた投影領域を示す情報を変更指示と共に送信しても良い。変更後の投影領域は、例えば投影システム１０の管理者等により予め登録されていても良い。投影領域の変更の詳細は後述する。
【００７８】
続いて、調整処理部２００は、調整の終了の指示を受け付けた否かを判定する（ステップＳ６０８）。ステップＳ６０８において、終了の指示を受け付けていない場合、調整処理部２００は、ステップＳ６０８へ戻り、他の設定項目に対する調整を受け付ける。
【００７９】
ステップＳ６０８において、終了の指示を受け付けた場合、調整処理部２００は、処理を終了する。
【００８０】
以下に、図７を参照して、本実施形態における投影領域の変更について説明する。図７は、第一の実施形態における投影領域の変更について説明する図である。図７（Ａ）は、投影領域の変更前を示す図である。図７（Ｂ）は、投影領域を変更した例を示す図である。図７（Ｃ）は、投影領域を変更した他の例を示す図である。
【００８１】
図７（Ａ）では、投影装置１００−１により投影された調整用画像７０−１と、投影装置１００−２により投影された調整用画像７０−２と、投影装置１００−３により投影された調整用画像７０−３と、のそれぞれが、投影領域２０に重畳されて投影されている。この状態では、投影領域２０において、調整が行われる投影装置１００−１から投影された画像７０−１は、他の画像と重なっているため、画像７０−１のみを視認することができない。
【００８２】
尚、図７では３つの画像がずれて投影されているように示しているが、これは説明の便宜上のものであり、実際は３つの画像は同一の位置に投影される。
【００８３】
図７（Ｂ）では、画像７０−１は投影領域２０に投影されている。また、画像７０−２、画像７０−３は、投影領域がＲ１に変更された画像７０−２Ａ、７０−３Ａとなっている。
【００８４】
したがって、図７（Ｂ）の例では、投影領域２０のうち、領域Ｒ２では、画像７０−１は、画像７０−２Ａ、画像７０−３Ａと重なっておらず、画像７０−１のみが投影された領域となる。また、領域Ｒ１では、画像７０−１、７０−２、７０−３が重ねられた状態となる。
【００８５】
このため、投影装置１００−１において調整を行う際には、領域Ｒ２に投影された画像７０−１を参照しながら設定を行えば、投影装置１００−１のみにより投影された画像７０−１を視認しながら設定することができる。さらに、図７（Ｂ）の例では、投影装置１００−１の画像を調整しながら、領域Ｒ１において、調整後の画像７０−１と、画像７０−２Ａ、７０−３Ａとが重ねられた状態を視認できる。
【００８６】
図７（Ｃ）では、画像７０−１は投影領域２０に投影されている。また、画像７０−２は、投影領域が領域Ｒ１のさらに半分の領域Ｒ３、つまり投影領域２０の１／４に変更された画像７０−２Ｂとなっており、画像７０−３は、投影領域が領域Ｒ４に変更された画像７０−３Ｂとなっている。
【００８７】
したがって、図７（Ｃ）の例では、投影領域２０のうち、領域Ｒ２では、画像７０−１のみが投影された領域となり、投影装置１００−１のみにより投影された画像７０−１を視認しながら設定することができる。さらに、図７（Ｃ）の例では、投影装置１００−１の画像を調整しながら、領域Ｒ３において、調整後の画像７０−１と画像７０−２Ｂとが重ねられた状態、領域Ｒ４において調整後の画像７０−１と７０−３Ｂとが重ねられた状態をそれぞれ個別に視認できる。
【００８８】
尚、本実施形態における投影領域の変更は、図７に示す例に限定されない。本実施形態では、調整が行われる投影装置以外の投影装置の投影領域を変更させて、調整が行われる投影装置が投影した画像のみが投影される領域を設ければ良い。
【００８９】
以上のように、本実施形態によれば、複数の投影装置により同一の画像を同一の投影領域に投影させるスタック投影において、投影装置単体における調整の状況を視認させることができる。
【００９０】
（第二の実施形態）
以下に図面を参照して第二の実施形態について説明する。第二の実施形態では、調整が行われる投影装置の投影領域と他の投影装置の投影領域の両方を変更する点のみ、第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【００９１】
図８は、第二の実施形態の制御部の機能を説明する図である。本実施形態の制御部１２２Ａは、調整処理部２００Ａを有する。調整処理部２００Ａは、接続状態判定部２１０Ａ、領域情報取得部２２０、領域情報比較部２３０、動作指示部２４０、調整指示部２５０、領域変更部２６０、パターン保持部２７０を有する。
【００９２】
本実施形態の接続状態判定部２１０Ａは、自機と接続されている他の投影装置１００を認識し、他の投影装置１００の状態を判定する。また、本実施形態の接続状態判定部２１０Ａは、自機に接続されている投影装置の接続の数をカウントする。
【００９３】
領域変更部２６０は、自機の投影領域を変更する。パターン保持部２７０は、投影装置毎の投影領域の変更の仕方を示すパターンテーブルを格納している。
【００９４】
以下に、図９を参照して本実施形態のパターンテーブルについて説明する。図９は、第二の実施形態のパターンテーブルの一例を示す図である。本実施形態のパターンテーブル９１は、投影領域の変更の際に参照される。
【００９５】
本実施形態のパターンテーブル９１は、情報の項目として、台数とパターンとを有する。項目「台数」の値は、接続されている投影装置の数を示す。言い換えれば、項目「台数」の値は、投影システム１０における投影装置１００の台数を示す。項目「パターン」の値は、投影装置１００毎の投影領域の位置を示す座標を示す。
【００９６】
図９では、例えば、投影装置の台数が２台であった場合、１台目の投影装置の投影領域は、矩形の左上の頂点の座標が（ｘ１１，ｙ１１）、右下の頂点の座標が（ｘ１２，ｙ１２）であり、２台目の投影装置の投影領域は、矩形の左上の頂点の座標が（ｘ２１，ｙ２１）、右下の頂点の座標が（ｘ２２，ｙ２２）となる。
【００９７】
また、投影装置の台数が３台であった場合、３台目の投影装置の投影領域は、矩形の左上の頂点の座標が（ｘ３１，ｙ３１）、右下の頂点の座標が（ｘ３２，ｙ３２）となる。
【００９８】
本実施形態のパターンテーブル９１に格納されたパターンでは、各パターンにおいて、複数の投影装置のそれぞれにより投影された画像が単体で投影される領域が含まれるようなパターンであることが好ましい。
【００９９】
また、図９では、変更後の投影領域を矩形における左上と右下の頂点の座標として示したが、これに限定されない。変更後の投影領域は、例えば変更後の高さ方向の画素数と、変更後の幅方向の画素数等により示されても良い。
【０１００】
次に、図１０を参照して、本実施形態の投影システム１０の動作について説明する。図１０は、第二の実施形態の投影システムの動作を示すシーケンス図である。
【０１０１】
図１０のステップＳ１００１からステップＳ１０１７までの処理は、図５のステップＳ５０１からステップＳ５１７までの処理と同様であるから、説明を省略する。
【０１０２】
投影装置１００−１は、ステップＳ１０１７に続いて、制御部１２２Ａ−１により、自機の投影領域を変更する（ステップＳ１０１８）。続いて、制御部１２２Ａ−１は、投影制御部１２３−１に対し、変更後の投影領域に調整用画像を投影させる（ステップＳ１０１９）。
【０１０３】
図１０のステップＳ１０２０とステップＳ１０２１の処理は、図５のステップＳ５１８とステップＳ５１９の処理と同様であるから、説明を省略する。
【０１０４】
次に、図１１を参照して、本実施形態の制御部１２２Ａの動作について説明する。図１１は、第二の実施形態の制御部の動作を説明するフローチャートである。
【０１０５】
図１１のステップＳ１１０１からステップＳ１１０６までの処理は、図６のステップＳ６０１からステップＳ６０６までの処理と同様であるから、説明を省略する。
【０１０６】
ステップＳ１１０６において、一致しない場合、制御部１２２Ａは、後述するステップＳ１１１１へ進む。
【０１０７】
ステップＳ１１０６において、一致する場合、制御部１２２Ａは、調整処理部２００Ａの接続状態判定部２１０Ａにより、投影装置１００−１を含む投影システム１０に含まれる投影装置１００の台数をカウントし、取得する（ステップＳ１１０７）。つまり、接続状態判定部２１０Ａは、自機に接続された他の投影装置と、自機とを含む投影装置の台数をカウントして取得する。
【０１０８】
続いて、調整処理部２００Ａは、領域変更部２６０により、パターン保持部２７０を参照し、ステップＳ１１０７で取得した台数と対応するパターンを取得する（ステップＳ１１０８）。
【０１０９】
続いて、調整処理部２００Ａは、動作指示部２４０により、他の投影装置１００に対して、取得したパターンに示される投影領域の位置と、投影領域の変更指示とを送信し、自機のみの画像が投影された領域を出現させる（ステップＳ１１０９）。
【０１１０】
続いて、調整処理部２００Ａは、領域変更部２６０により、自機の投影領域を、取得したパターンに従って変更する（ステップＳ１１１０）。
【０１１１】
続くステップＳ１１１１、ステップＳ１１１２の処理は、図６のステップＳ６０８、ステップＳ６０９の処理と同様であるから、説明を省略する。
【０１１２】
次に、図１２を参照して、本実施形態における投影領域の変更について説明する。図１２は、第二の実施形態における投影領域の変更について説明する図である。
【０１１３】
図１２（Ａ）は、投影装置１００−１の画像７０−１と、投影装置１００−２の画像７０−２が投影領域２０に重ねられて投影された状態を示している。図１２（Ｂ）は、投影装置１００−１の投影領域と、投影装置１００−２の投影領域を変更した後の投影領域２０の状態を示している。図１２（Ｃ）は、３台の投影装置により投影された画像を、各画像が単体で投影されるようにした変更後の投影領域の例を示している。
【０１１４】
図１２（Ａ）では、投影装置１００−１により投影された調整用画像７０−１と、投影装置１００−２により投影された調整用画像７０−２とが、投影領域２０に重畳されて投影されている。この状態では、投影領域２０において、調整が行われる投影装置１００−１から投影された画像７０−１は、他の画像と重なっているため、画像７０−１のみを視認することができない。
【０１１５】
図１２（Ｂ）では、画像７０−１は、投影領域が領域Ｒ１１に変更された画像７０−１Ｃとなっている。また、画像７０−２は、投影領域が領域Ｒ１２に変更された画像７０−２Ｃとなっている。領域Ｒ１１と領域Ｒ１２は、両方とも、高さを投影領域２０と一致しており、幅を投影領域２０の２／３程度とし、領域Ｒ１３において領域Ｒ１１と領域Ｒ１２とが重なるようにした。
【０１１６】
したがって、図１２（Ｂ）の例では、投影領域２０のうち、領域Ｒ１１１では、画像７０−１Ｃは、画像７０−２Ｃと重なっておらず、画像７０−１Ｃのみが投影された領域となる。また、領域Ｒ１２１では、画像７０−２Ｃは、画像７０−１Ｃと重なっておらず、画像７０−２Ｃのみが投影された領域となる。さらに、領域Ｒ１３では、画像７０−１Ｃと画像７０−２Ｃとが重ねられた状態となる。
【０１１７】
このため、投影装置１００−１において調整を行う際には、領域Ｒ１１１に投影された画像７０−１Ｃを参照しながら設定を行えば、投影装置１００−１により投影された画像７０−１Ｃを視認しながら設定することができる。さらに、図１２（Ｂ）の例では、投影装置１００−１の画像を調整しながら、領域Ｒ１３において、調整後の画像７０−１Ｃと画像７０−２Ｃが重ねられた状態を視認できる。また、図１２（Ｂ）の例では、領域Ｒ１２１において、投影装置１００−２により投影された画像７０−２Ｃを視認させることができる。
【０１１８】
図１２（Ｃ）では、画像７０−１は、投影領域が領域Ｒ１４に変更された画像７０−１Ｄとなっている。また、画像７０−２は、投影領域が領域Ｒ１５に変更された画像７０−２Ｄとなっている。また、画像７０−３は、投影領域が領域Ｒ１６に変更された画像７０−３Ｄとなっている。
【０１１９】
領域Ｒ１４は、高さを投影領域２０と一致しており、幅を投影領域２０の１／２程度とした。領域Ｒ１５は、高さを投影領域２０の１／２程度とし、幅を投影領域２０の２／３程度とした。領域Ｒ１６も、高さを投影領域２０の１／２程度とし、幅を投影領域２０の２／３程度とした。
【０１２０】
図１２（Ｃ）の例では、領域Ｒ１４の一部と、領域Ｒ１５、Ｒ１６の一部とが重なるようにした。
【０１２１】
したがって、図１２（Ｃ）の例では、投影領域２０のうち、領域Ｒ１８では、画像７０−１Ｄは、画像７０−２Ｄ、画像７０−３Ｄと重なっておらず、画像７０−１Ｄのみが投影された領域となる。また、領域Ｒ１５では、画像７０−２Ｄは、画像７０−１Ｄ、画像７０−３Ｄと重なっておらず、画像７０−２Ｄのみが投影された領域となり、領域Ｒ１６では、画像７０−３Ｄは、画像７０−１Ｄ、画像７０−２Ｄと重なっておらず、画像７０−３Ｄのみが投影された領域となる。
【０１２２】
さらに、領域Ｒ１７では、画像７０−１Ｄと、画像７０−２Ｄ、画像７０−３Ｄのそれぞれが重ねられた状態となる。
【０１２３】
このため、投影装置１００−１において調整を行う際には、領域Ｒ１８に投影された画像７０−１Ｄを参照しながら設定を行えば、投影装置１００−１により投影された画像７０−１Ｄを視認しながら設定することができる。さらに、図１２（Ｃ）の例では、投影装置１００−１の画像を調整しながら、領域Ｒ１５において、調整後の画像７０−１Ｄと画像７０−２Ｄが重ねられた状態を視認でき、領域Ｒ１６において、調整後の画像７０−１Ｄと画像７０−３Ｄが重ねられた状態を視認できる。
【０１２４】
以上のように、本実施形態によれば、調整の対象となる投影装置１００のみにより画像が投影される領域を設けるため、調整を行う利用者に対して、調整の状況を視認させることができる。
【０１２５】
また、本実施形態では、図１２（Ｂ）の領域Ｒ１２１、図１２（Ｃ）の領域Ｒ１５、領域Ｒ１６の一部のように、調整の対象とされていない投影装置１００についても、各投影装置のみにより画像が投影される領域を設けることができる。
【０１２６】
したがって、例えば図１２（Ｂ）において、投影装置１００−１の調整を行った後に、投影装置１００−２の調整を行う場合等には、新たに投影領域の変更を行わずに、領域Ｒ１２１に投影された画像７０−２Ｃを参照して、投影装置１００−２の調整を行えば良い。したがって、本実施形態によれば、複数の投影装置１００のそれぞれについて、調整を行う場合等に有用である。したがって、本実施形態は、例えば複数の投影装置１００のそれぞれについて、順次調整を行う場合等に適用されても良い。
【０１２７】
（第三の実施形態）
以下に図面を参照して第三の実施形態について説明する。第三の実施形態は、一度投影領域を変更して調整を行った後に、調整に用いる投影領域の位置を変更して、再度調整を行う点が、第二の実施形態と相違する。よって、以下の第三の実施形態の説明では、第二の実施形態と同様の機能構成を有するものには、第二の実施形態の説明で用いた符号と同様の符号を付与し、その説明を省略する。
【０１２８】
図１３は、第三の実施形態の制御部の機能を説明する図である。本実施形態の制御部１２２Ｂは、調整処理部２００Ｂを有する。
【０１２９】
調整処理部２００Ｂは、接続状態判定部２１０Ａ、領域情報取得部２２０、領域情報比較部２３０、動作指示部２４０、調整指示部２５０、領域変更部２６０、パターン保持部２７０、位置設定判定部２８０を有する。
【０１３０】
本実施形態の位置設定判定部２８０は、調整に用いる投影領域の位置を変更するか否かを判定する。位置の変更を行うか否かの設定は、例えば、予め位置設定判定部２８０において保持されていても良い。
【０１３１】
次に、図１４を参照して、本実施形態の投影システム１０の動作について説明する。図１４は、第三の実施形態の投影システムの動作を説明するシーケンス図である。
【０１３２】
図１４のステップＳ１４０１からステップＳ１４２１の処理は、図１１のステップＳ１１０１からステップＳ１１２１の処理と同様であるから、説明を省略する。
【０１３３】
続いて、投影装置１００−１の制御部１２２Ｂ−１は、投影領域の位置を変更する設定となっていた場合に、投影装置１００−２、投影装置１００−３の変更後の投影位置を通信部１２５−１に通知する（ステップＳ１４２２）。
【０１３４】
続いて、通信部１２５−１は、投影装置１００−２に、投影領域の位置と、変更指示とを送信する（ステップＳ１４２３）。投影装置１００−２の通信部１２５−２は、この通知を制御部１２２Ｂ−２へ通知する（ステップＳ１４２４）。制御部１２２Ｂ−２は、この通知を受けて、投影制御部１２３−２に対し、通知された位置に調整用画像を投影させる（ステップＳ１４２５）。
【０１３５】
また、通信部１２５−１は、投影装置１００−３に、投影領域の位置と、変更指示とを送信する（ステップＳ１４２６）。投影装置１００−３の通信部１２５−３は、この通知を制御部１２２Ｂ−３へ通知する（ステップＳ１４２７）。制御部１２２Ｂ−３は、この通知を受けて、投影制御部１２３−３に対し、通知された位置に調整用画像を投影させる（ステップＳ１４２８）。
【０１３６】
続いて、投影装置１００−１の制御部１２２Ｂ−１は、自機の投影領域の位置を取得し（ステップＳ１４２９）、投影制御部１２３−１に対して、取得した位置に調整用画像を投影させる（ステップＳ１４３０）。
【０１３７】
次に、図１５を参照して、本実施形態の制御部１２２Ｂの動作について説明する。図１５は、第三の実施形態の制御部の動作を説明するフローチャートである。
【０１３８】
図１５のステップＳ１５０１からステップＳ１５１２は、図１１のステップＳ１１０１からステップＳ１１１２までの処理と同様であるから、説明を省略する。
【０１３９】
ステップＳ１５１２に続いて、制御部１２２Ｂの調整処理部２００Ｂは、位置設定判定部２８０により、調整に用いる投影領域の位置を変更するか否かを判定する（ステップＳ１５１３）。
【０１４０】
ステップＳ１５１３において、変更すると判定された場合、調整処理部２００Ｂは、ステップＳ１５０９へ戻る。尚、調整に用いる投影領域の位置の変更の仕方の詳細は後述する。
【０１４１】
ステップＳ１５１３において、変更しないと判定された場合、調整処理部２００Ｂは、処理を終了する。
【０１４２】
次に、図１６を参照して、本実施形態の調整用画像の投影例について説明する。図１６は、第三の実施形態における画像の投影例を示す図である。
【０１４３】
図１６（Ａ）は、調整が行われる投影装置１００−１のみにより画像が投影されている領域Ｒ１９が、投影領域２０の左上に位置する場合を示している。図１６（Ｂ）は、領域Ｒ１９が、投影領域２０の右上に位置する場合を示している。図１６（Ｃ）は、領域Ｒ１９が、投影領域２０の右下に位置する場合を示している。図１６（Ｄ）は、領域Ｒ１９が、投影領域２０の左下に位置する場合を示している。
【０１４４】
図１６では、領域Ｒ１９の位置が、図１６（Ａ）の位置、図１６（Ｂ）の位置、図１６（Ｃ）の位置、図１６（Ｄ）の位置と変更される。
【０１４５】
図１６（Ａ）では、画像７０−１は、投影領域が領域Ｒ１６１に変更された画像７０−１Ｅとなっている。また、画像７０−２は、投影領域が領域Ｒ１６２に変更された画像７０−２Ｅとなっている。また、画像７０−３は、投影領域が領域Ｒ１６３に変更された画像７０−３Ｅとなっている。
【０１４６】
また、投影領域２０において、領域Ｒ１６１において、画像７０−１Ｅは、画像７０−２Ｅの一部、画像７０−３Ｅの一部と重なっている。また、領域Ｒ１６２において、画像７０−２Ｅは、画像７０−１Ｅの一部、画像７０−３Ｅの一部と重なっている。また、領域Ｒ１６３において、画像７０−３Ｅは、画像７０−１Ｅの一部、画像７０−２Ｅの一部と重なっている。さらに、領域１−Ｒ１６４では、画像７０−１Ｅの一部、画像７０−２Ｅの一部、画像７０−３Ｅの一部が重なっている。
【０１４７】
したがって、図１６（Ａ）の例では、領域Ｒ１６４に投影された画像を参照すれば、画像７０−１Ｅ、画像７０−２Ｅ、画像７０−３Ｅが重なった状態を視認できる。
【０１４８】
また、図１６（Ａ）の例では、領域Ｒ１６１を参照すれば、画像７０−１Ｅのみが投影された状態と、画像７０−１Ｅと画像７０−２Ｅとが重ねられて投影された状態と、画像７０−１Ｅと画像７０−３Ｅとが重ねられて投影された状態と、を視認できる。
【０１４９】
同様に、図１６（Ａ）の領域Ｒ１６２を参照すれば、画像７０−２Ｅのみが投影された状態と、画像７０−２Ｅと画像７０−３Ｅとが重ねられて投影された状態と、を視認でき、領域Ｒ１６３を参照すれば、画像７０−３Ｅのみが投影された状態が視認できる。
【０１５０】
図１６（Ａ）において、投影装置１００−１の調整が終了すると、調整処理部２００Ｂは、図１６（Ｂ）に示すように、領域Ｒ１６１を投影領域２０の右上となるように、画像７０−１Ｅ、画像７０−２Ｅ、画像７０−３Ｅの投影領域の位置を変更する。図１６（Ｂ）の状態で、投影装置１００−１の調整が終了すると、調整処理部２００Ｂは、続いて図１６（Ｃ）に示すように、領域Ｒ１６１を投影領域２０の右下となるように、画像７０−１Ｅ、画像７０−２Ｅ、画像７０−３Ｅの投影領域の位置を変更する。図１６（Ｃ）の状態で、投影装置１００−１の調整が終了すると、調整処理部２００Ｂは、続いて図１６（Ｄ）に示すように、領域Ｒ１６１を投影領域２０の左下となるように、画像７０−１Ｅ、画像７０−２Ｅ、画像７０−３Ｅの投影領域の位置を変更する。
【０１５１】
本実施形態では、例えば投影位置を変更する際に、パターンテーブル９１において設定された各投影装置１００の投影領域の座標を入れ替えることで、投影領域の投影位置を変更しても良い。
【０１５２】
例えば、投影装置１００−１の投影領域の位置を示す座標１を（ｘ１１，ｙ１１）／（ｘ１２，ｙ１２）とし、投影装置１００−２の投影領域の位置を示す座標２を（ｘ２１，ｙ２１）／（ｘ２２，ｙ２２）とし、投影装置１００−３の投影領域の位置を示す座標３を（ｘ３１，ｙ３１）／（ｘ３２，ｙ３２）とした場合について説明する（図９参照）。
【０１５３】
この場合、はじめにパターンテーブル９１に保持されている座標に基づき各投影装置１００から画像を投影させる。
【０１５４】
次に、調整処理部２００は、座標１、座標２、座標３により示される各投影領域の位置が、上下左右に反転するように、座標１、座標２、座標３を変更させて、各投影装置１００の投影領域の位置を変更させる。
【０１５５】
図１６（Ｂ）に示す各領域Ｒ１６１、Ｒ１６２、Ｒ１６３の位置は、図１６（Ａ）に示す各領域Ｒ１６１、Ｒ１６２、Ｒ１６３の位置を左右に反転させたものである。また、図１６（Ｃ）に示す各領域Ｒ１６１、Ｒ１６２、Ｒ１６３の位置は、図１６（Ｂ）に示す各領域Ｒ１６１、Ｒ１６２、Ｒ１６３の位置を上下に反転させたものである。また、図１６（Ｄ）に示す各領域Ｒ１６１、Ｒ１６２、Ｒ１６３の位置は、図１６（Ａ）に示す各領域Ｒ１６１、Ｒ１６２、Ｒ１６３の位置を上下に反転させたものである。
【０１５６】
本実施形態では、このように、調整用画像の投影位置を変更することで、投影面の状態や投影装置１００毎のばらつき等による、投影位置による輝度むらや色むらを確認しながら調整することができる。
【０１５７】
尚、本実施形態では、調整の対象となる投影装置１００−１による画像７０−１と他の投影装置１００による画像７０−２、７０−３の両方の投影領域を変更するものとして説明したが、これに限定されない。
【０１５８】
例えば、本実施形態は、第一の実施形態のように、調整の対象となる投影装置１００−１による画像７０−１の投影領域は変更しなくても良い。この場合、調整処理部２００Ｂは、他の投影装置１００による画像の投影領域の位置のみを、順次変更させれば良い。
【０１５９】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１６０】
１０  投影システム
１００  投影装置
１２１  映像処理部
１２２、１２２Ａ、１２２Ｂ  制御部
１２３  投影制御部
１２４  操作受付部
１２５  通信部
２００、２００Ａ、２００Ｂ  調整処理部
２１０  接続状態判定部  
２２０  領域情報取得部
２３０  領域情報比較部
２４０  動作指示部
２５０  調整指示部
２６０  領域変更部
２７０  パターン保持部
２８０  位置設定判定部
【先行技術文献】
【特許文献】
【０１６１】
【特許文献１】特開２０１３−０２００５６号公報
【図１】
2018010248.tif 000003
【図２】
2018010248.tif 000004
【図３】
2018010248.tif 000005
【図４】
2018010248.tif 000006
【図５】
2018010248.tif 000007
【図６】
2018010248.tif 000008
【図７】
2018010248.tif 000009
【図８】
2018010248.tif 000010
【図９】
2018010248.tif 000011
【図１０】
2018010248.tif 000012
【図１１】
2018010248.tif 000013
【図１２】
2018010248.tif 000014
【図１３】
2018010248.tif 000015
【図１４】
2018010248.tif 000016
【図１５】
2018010248.tif 000017
【図１６】
2018010248.tif 000018